(57)【特許請求の範囲】
【請求項１】
把持部と打撃部が可撓体を介して連結され、
前記可撓体が、紐であることを特徴とするスタンド型りん棒。
【発明の詳細な説明】
【技術分野】
【０００１】
本発明は宗教用具のスタンド型りん棒に関するものである。
【背景技術】
【０００２】
スタンド型りん棒としては特許３０１２８７２号に記載のりん撥がある。
これは棒状本体の先端に球形打鐘部をそなえ、一方に直立安定させるための基部台座が設けられていることを特徴としている。
【０００３】
あるいは特開２００６−１６７４４２号のようにスタンド型りん棒として重量部を下部に持たせて安定させたものがある。
【先行技術文献】
【特許文献】
【０００４】
【特許文献１】特許３０１２８７２号公報
【特許文献２】特開２００６−１６７４４２号公報
【発明の概要】
【発明が解決しようとする課題】
【０００５】
従来のスタンド型りん棒において、りんを叩く打撃部と把持部が一体的であったり、打撃部と把持部のいずれもが黒檀等の硬質の、木材樹脂、金属が好適であるとされていた。
しかしながら、従来のりん棒は把持部から、打撃部に直接的に力を加えることが出来る便利さがある反面、その跳ね返りも直接的に把持部に伝わり、手の掴む指などに衝撃を与えるため、打った瞬間にスムーズな打撃動作が妨げられるといった不具合がときおりあった。
特に打撃対象のりん本体が固定されていたり、実質的に固定されている状態である場合にこの弊害が多くみられた。
【０００６】
そこで本発明は、上記従来の不具合を軽減し、スムーズな打撃動作が出来るスタンド型りん棒の提供を目的とする。
【課題を解決するための手段】
【０００７】
本発明は、把持部と打撃部との連結に可撓体を用いて、打撃時の大きな反発の衝撃を把持部に直接的に伝達せしめず、衝撃を緩和するように工夫したスタンド型りん棒とした点に特徴がある。
ここでスタンド型りん棒と表現したのは、りん棒を概ね立てた状態で安置できる平面部を有していることを意味する。
【０００８】
より具体的に説明すると、スタンド型りん棒は、把持部と打撃部が可撓体を介して連結されていることを特徴とする。
【０００９】
ここで、把持部と打撃部が可撓体を介して連結されていると表現したのは、打撃部でりんを打撃したときの反発衝撃が把持部に直接的に伝達しないように、把持部と打撃部との間を可撓性を有する物体で繋いだことを意味し、把持部そのものが可撓性を有していても良い。
従って、把持部全体もしくは一部を可撓体としてもよい。
また、本発明のように、可撓体が紐状の編み上げた繊維などの紐であってもよい。
編み上げの度合いにより、可撓体の可撓性の度合いを調整できる。
また、打撃部に連結した紐はリング状の輪になっていても良い。
【００１０】
把持部の可撓体としては、ゴムやバネなどの弾性体であってもよい。
前述の弾性体の場合には、その弾性エネルギーを利用して、積極的に打撃時に大きなエネルギーを与えることが出来る。
バネとしては、線状の線形バネや板バネ、あるいはコイル状に巻いたコイルバネなどが考えられる。
前記把持部の端部付近に前記把持部より断面部の大なるつまみ部を有することを特徴とするスタンド型りん棒とした。
これにより、つまみ部が、すべり止めの役目をして、使い勝手がよい。
【発明の効果】
【００１１】
本発明によれば、把持部と打撃部が可撓体を介して連結されているので、りんを叩く際の打撃時に打撃部からの反発力を、可撓体が有する柔軟な可撓性により、把持部に直接的に伝えることを防ぐことが出来る。
また、把持部全体もしくは一部を可撓体とすることで、構成が簡便になる。
同時に把持する部分や位置により可撓性の可撓具合を変化させることも出来て便利である。
【００１２】
可撓体が、紐であれば、軽く便利であるし、後述するつまみ部４を図６のようにくるりと巻いてこぶし状にして作成することもでき、あるいは図８に示すように、輪のように打撃部に取り付けることができて便利である。
また、紐として、自由度が高いので、折りたたんだり、巻いたりできて、収納性を持たせることが容易である。
【００１３】
可撓体に弾性体を用いると、そのバネ性を有効に使って、打撃部からりんに打撃を与える力を増すことが出来る。
つまり、打撃時までに、可撓体を撓らせて、弾性エネルギーを蓄えて、衝突時にそのエネルギーを力として放出することが出来る。
また、弾性体であると、元の姿に容易に戻るために把持部と打撃部の位置関係が、使用していないときには常に一定に位置に戻るために扱いやすい。
【００１４】
把持部の端部付近に前記把持部より断面部の大なるつまみ部を有するようにすることで把持部を掴みやすくし、また使用時に手から滑り落ちることを、防ぐことができる。
【図面の簡単な説明】
【００１５】
【図１】本発明の実施形態を示す正面図である。
【図２】本発明の実施形態を示す説明正面図である。
【図３】本発明の実施形態を示す見取り図である。
【図４】本発明の実施形態を示す説明正面図である。
【図５】説明断面図である。
【図６】本発明の実施形態を示す説明正面図である。
【図７】立てて載置するための平面部の形状例を示す。
【図８】紐をリング状にして打撃部に取り付けた例を示す。
【発明を実施するための形態】
【００１６】
本発明のスタンド型りん棒の具体的な構成について、各図面の基づいて説明するがこれに限定されない。
【実施例１】
【００１７】
図１はつまみ部４と打撃部１を可撓体３を介して連結した例を示す。
本実施例は可撓体３が弾性体３１である線形バネ３１１で出来ている例である。
この弾性体３１は板ばね、あるいは図４のようなコイルバネ３１２でもよい。
つまみ部４は木材、樹脂、軽量金属など軽量なものが適切であるが、特に素材に限定されるものではない。
この場合はつまみ部４もしくは可撓体３に係る部分が把持部２になり、自在に好きな場所を手で把持し、りんを鳴らすことができる。
打撃部１は黒檀などの硬い木や樹脂、金属などが、好ましいが、特に限定されるものではない。
【実施例２】
【００１８】
図２は可撓体３が紐３２であるスタンド型りん棒の実施例である。
紐を編み込んで硬く構成した状態であると、図２のように不使用時にもあまり曲がらずに棒状の垂直性を持たせることができて、摘みやすく、同時に持ちやすいので好ましい。
本実施例は把持部（つまみ部）２全体が可撓体３（紐３２）で構成した例である。
この場合に、図６に示すように紐３２の先に結び玉を設けてつまみ部４を形成しても良く、図８に示すように紐３２をリング状にして、つまみ部と把持部２をかねても良い。
【実施例３】
【００１９】
図３は可撓体３が紐３２であり、紐の先につまみ部４を連結した実施例である。
紐３２は繊維質のもの、樹脂性のものなど特に限定はない。
実施例の紐３２のように可撓体３の自由度が高いと振り子のようにりんを打撃することになる。
【００２０】
図５は打撃部１の縦断面図である。
可撓体３が紐３２であると打撃部１の通し穴に紐３２の端部付近に結び目をつけた紐３２を通すだけで、簡便に繋げることができる。
つまり、本発明では、このような打撃部１とのつながりでもよく、目的が果せれば、特につながり方に限定はされない。
【００２１】
図７はスタンド型りん棒の各打撃部の平面部の形状例を示し、りん棒の打撃部の平面部デザインは図７のようにさまざまな形が考えられる。
打撃部の先に図７に示すような各種形状の平面部を設けたことにより、この平面部を底部にして立てて仏壇内等に安置でき、スタンド型りん棒として成立するのであれば、打撃部の形状等に特段の限定はない。
【符号の説明】
【００２２】
１        打撃部
２        把持部
３        可撓体
４        つまみ部
３１      弾性体
３２      紐
３１１    線形バネ
３１２    コイル状バネ
【図１】
0005429449.tif 000002
【図２】
0005429449.tif 000003
【図３】
0005429449.tif 000004
【図４】
0005429449.tif 000005
【図５】
0005429449.tif 000006
【図６】
0005429449.tif 000007
【図７】
0005429449.tif 000008
【図８】
0005429449.tif 000009